(57)【要約】      （修正有）【課題】新生児の首と保育者の腕が直接に触れ合うことを防ぎ、汗による不快感を軽減する肌着を提供する。【解決手段】新生児用肌着５の衿回り６の後ろ側部分に、汗取り布１を設ける。新生児の首と保育者の腕の間に汗取り布を挟んで抱っこする。【選択図】図３
0003195029.tif 000002
【実用新案登録請求の範囲】
【請求項１】
衿回りの後側に、汗取り布が設けられている肌着であって、前記汗取り布は、頭部側へ立てた場合に少なくとも着用者の首の後ろ部分を覆うことが出来る肌着。
【考案の詳細な説明】
【技術分野】
【０００１】
本考案は、新生児用の肌着に関するものである。
【背景技術】
【０００２】
従来の新生児用肌着は、生後１年間程度は着用が可能なように、また生後の発達が充分ではない新生児の体を締め付けないように、ゆったりと大きめに作られている。乳児は生後から１年の間に身長は約１．５倍に、体重は約３倍に成長する。そのため、新生児には、身体の大きさにちょうど良いとは言えない、大きいサイズの肌着を着用させることが一般に行われている。肌着は左右の前身頃を打ち合わせて紐で結んで着用するデザインのものが一般的である。サイズ調整は、この紐の結び方によって行う。紐の長さを全部使って結べば小さめのサイズに、紐の先の方だけ使って結べば大きめのサイズとなって、胴回りのサイズが変化する。この様に一年間の身体の成長に対応できるようになっている。それに伴い衿回りも小さめや大きめになったりするが、おおむね衿回りはゆったりとしており、首元まで肌着で覆われた状態ではない。
【０００３】
通常新生児はこの肌着を常時着用している。首回りは露出しており、肌着で覆われてはいないので、抱っこの際には新生児の首の後ろと保育者の腕が直接に密着している。汗をかく季節には保育者は半袖であり、新生児も保育者も、密着部分の不快感が著しい。不快感を軽減するために、タオル等を保育者の腕に載せて、タオルの上に新生児の首を乗せ、直接密着しないように抱っこしている。
【先行技術文献】
【非特許文献】
【０００４】
【非特許文献１】Ｌｉｖｅｃｏｔｔｏｎ社ライブコットン無蛍光コットン肌着・乳幼児肌着
【考案の概要】
【考案が解決しようとする課題】
【０００５】
新生児の身体の大きさは、身長は約５０ｃｍ、大人の３分の１〜４分の１程度である。身体の表面積は新生児と大人では大差があるが、汗腺の数はほぼ同じで約２３０万個程度といわれている。新生児は大人に比べ、汗腺の密度が高い。汗腺のうち、汗を出す能動汗腺の数は、生後約２年半の間に変化し、個体差が出来る。
【０００６】
新生児は大人に比べ身体の表面積が小さいが、汗腺は大人と同じ数だけある。能動汗腺の発達が未熟な新生児の内であっても、体表面積が小さい身体に大人とほぼ同じ数の汗腺があるので、新生児は常時汗にまみれている状態である。              
【０００７】
新生児を抱っこする際、保育者は片方の前腕と曲げた肘のあたりで新生児の首を受け止め、その手の平で新生児の臀部あたりを支え、もう一方の手で新生児の背中辺りを支える事によって、抱っこを行う。この時、保育者と新生児は密着している状態である。新生児は新陳代謝が活発で体温が高く、密着した状態では、特に汗をかきやすくなっている。
【０００８】
半袖を着用する季節には、保育者の肌は露出しており、密着している保育者の腕と新生児の首は、べっとりと汗をかいた状態になる。新生児を抱っこする機会は１日に何十回となくあり、その度に汗をかいた保育者の腕と新生児の首が密着するため、不快であり汗疹になりやすい（例えば、非特許文献１参照）。
【０００９】
この密着した状態の不快感を改善する方法が望まれている。
【課題を解決するための手段】
【００１０】
新生児用肌着の衿回りの後側部分に、汗取り布を取り付ける。抱っこする際にこの汗取り布を頭部の方に立て、新生児の首の後ろ側を覆うようにして抱っこする。新生児の首の後ろ側と、保育者の腕の間に汗取り布が収まり、直接に新生児の肌と保育者の肌が密着することを防ぐ。
【００１１】
この汗取り布は、ファッションを目的としたものではなく、新生児を抱っこする際に、保育者の腕と新生児の首が直接密着することによる汗による不快感を軽減するためのものである。したがって、取り付け部分は、肌着の衿回りの後ろ側だけで良い。また、新生児の首の後ろ側全体を覆うことが出来るよう、また保育者の腕と新生児の首の間に汗取り布を挟み込んだ状態でも、肌着が攣れたりしないように、大きさを工夫する必要がある。
【考案の効果】
【００１２】
この汗取り布を新生児用肌着に取り付ける事によって、抱っこの際に新生児の首の後ろ側と保育者の腕が直接に密着しなくなり、汗による不快感が軽減される。
【００１３】
従来は、汗が気になるときには、タオル等を保育者の腕に載せて、タオルの上に新生児の首を乗せて抱っこしていた。しかし抱っこの度にタオル等を使うことは、手間でもあり、手直なところにタオル等が無い時もある。この汗取り布付肌着であれば、抱っこする際に汗取り布を立てて抱っこするだけでよく、タオル等を準備する必要が無く、煩わしさを感じない。
【００１４】
また、汗取り布の機能は首の後ろ側の汗取りだけでは無い。新生児を寝かせておく際、汗取り布が頭部側ではなく背中側となる様に、汗取り布を立てずにおく。そうすることによって、背中部分の生地が二重になるため、汗の吸収量が多く、汗疹になりにくい。また、汗をかかない季節には、生地が二重になっていることによって、背中が暖かい。
【図面の簡単な説明】
【００１５】
【図１】新生児用肌着の正面図。
【図２】汗取り布付新生児用肌着の背面図。
【図３】汗取り布付新生児用肌着の実施図。
【考案を実施するための形態】
【００１６】
まず、汗取り布１を作る。汗取り布１の大きさは、大人の手の平大の大きさである。形状は、おおむね角丸四角形である。楕円形、ハート形等、着用の邪魔にならず、汗取りの効果を損ねない範囲で好みの形に設定しても良い。この汗取り布１の大きさは、新生児２の首の後ろ側部分の全面を覆い、なおかつ保育者３の腕４と新生児２の頭の間に挟んで使用したとき、肌着の身頃５が引っぱられて攣れる事が無く、肌着を自然に身に着けた状態を維持できる大きさであることが必要である。
【００１７】
次に、この汗取り布１の端の一部分を、肌着の衿回り６の後側に縫い付ける。汗取り布１が、身頃５と重なって、衿のように背中側に垂れている状態である。また、汗取り布１は、身頃５に縫い付けず、ボタン等で取り付けても良い。不要と思う時には、取り外すことが出来る。仕立ては以上である。
【００１８】
通常の状態は、汗取り布１は、身頃５の後ろ側と重なって衿回り６から垂れている。
抱っこの際には、この汗取り布１を頭部側へ立てて、新生児２の首の後ろを覆うように、保育者３の腕４との間にあてがって抱っこし、新生児２の首の後ろと保育者３の腕４が直接密着しないようにする。
【００１９】
寝かせる時には、汗取り布１は立てずに、そのまま通常の垂れた状態で寝かせる。あるいは、一度頭部側へ立ててから身頃５と新生児２の背中の間に入れ込み、寝かせても良い。汗を吸ってから汗取り布１を通常の状態に戻す。寝かせている間に汗取り布１が汗を吸うので、身頃５は乾いた状態で、新生児２の肌に心地よい。肌着も、汗取り布１も、素材は、木綿等の天然素材が好ましい。
【００２０】
メリヤス編み等、肌あたり良く織り方が工夫された生地や、今治タオル等、吸水性が優れた機能の生地や、二重織りのガーゼ等、蒸れにくく乾きやすい生地を使用して、使用感と機能の充実を図ることが大切である。
【符号の説明】
【００２１】
１  汗取り布
２  新生児
３  保育者
４  腕
５  身頃
６  衿回り
【図１】
0003195029.tif 000003
【図２】
0003195029.tif 000004
【図３】
0003195029.tif 000005